【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2002526378.tif 000001
｛式中、ｍは０または１であり；
Ｒ1は−Ｃ≡ＣＨ、−ＣＯ2Ｒ53、−ＣＯＮＲ54Ｒ55、
【化２】
2002526378.tif 000002
[式中、ｓは０または１であってＲ20、Ｒ21、Ｒ22、Ｒ23、Ｒ24およびＲ25は同一または異なり、−Ｈ、Ｃ1−Ｃ6アルキル、Ｃ1−Ｃ6アルケニル、Ｃ1−Ｃ6アルコキシ、Ｃ1−Ｃ6アルキルチオ、−Ｃ3−Ｃ8シクロアルキル、−ＣＦ3、−ＮＯ2、−ハロ、−ＯＨ、−ＣＮ、フェニル、フェニルチオ、−スチリル、−ＣＯ2(Ｒ31)、−ＣＯＮ(Ｒ31)(Ｒ32)、−ＣＯ(Ｒ31)、−(ＣＨ2)n−Ｎ(Ｒ31)(Ｒ32)、−Ｃ(ＯＨ)(Ｒ31)(Ｒ33)、−(ＣＨ2)nＮ(Ｒ31)(ＣＯ(Ｒ33))、(ＣＨ2)nＮ(Ｒ31)(ＳＯ2(Ｒ33))から選択され、あるいはＲ20とＲ21、またはＲ21とＲ22、またはＲ22とＲ23とは一緒になって０または１個の酸素、窒素または硫黄を含む５−または６−員の飽和または不飽和環を形成し、ここに該不飽和環は所望により１、２または３個のＣ1−Ｃ6アルキル、Ｃ1−Ｃ6アルコキシ、−ＯＨ、−ＣＨ2ＯＨ、−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))、−ＣＮ、−ＣＨ2ＣＦ3または−ＣＨ(ＣＦ3)2またはフェニルで置換されていてもよく、該飽和環は所望により１、２または３個の−Ｃ1−Ｃ6アルキル、−Ｃ1−Ｃ6アルコキシ、−ＯＨ、−ＣＨ2ＯＨもしくは−(ＣＨ2)n−Ｎ(Ｒ31)(Ｒ32)または１個のオキソ(＝Ｏ)で置換されていてもよく；
ｎは０−３であってＲ31、Ｒ32およびＲ33は同一または異なり、
−Ｈ、
Ｃ1−Ｃ6アルキル、
１、２または３個の−ハロ、Ｃ1−Ｃ6アルキル、Ｃ1−Ｃ6アルコキシ、−ＣＦ3、−ＯＨまたは−ＣＮで置換されていてもよいフェニル、
あるいはＲ31とＲ32とは結合している窒素と一緒になって、−ピロリジニル、−ピペリジニル、−４−モルホリニル、−４−チオモルホリニル、−４−ピペラジニル、−４−(１−Ｃ1−Ｃ6アルキル)ピペラジニルから選択される環を形成し；
あるいは
１−シクロヘキセニル、２−ピリミジニル、４−ピリミジニル、５−ピリミジニル、２−イミダゾリル、４−イミダゾリル、２−ベンゾチアゾリル、２−ベンゾオキサゾリル、２−ベンゾイミダゾリル、２−オキサゾリル、４−オキサゾリル、２−チアゾリル、３−イソオキサゾリル、５−イソオキサゾリル、５−メチル−３−イソオキサゾリル、５−フェニル−３−イソオキサゾリル、４−チアゾリル、３−メチル−２−ピラジニル、５−メチル−２−ピラジニル、６−メチル−２−ピラジニル、５−クロロ−２−チエニル、３−フリル、ベンゾフラン−２−イル、ベンゾチエン−２−イル、２Ｈ−１−ベンゾピラン−３−イル、２,３−ジヒドロベンゾピラン−５−イル、１−メチルイミダゾール−２−イル、キノキサリン−２−イル、ピペロン−５−イル、４,７−ジクロロベンゾオキサゾール−２−イル、４,６−ジメチル−ピリミジン−２−イル、４−メチルピリミジン−２−イル、２,４−ジメチルピリミジン−６−イル、２−メチルピリミジン−４−イル、４−メチルピリミジン−６−イル、６−クロロピペロン−５−イル、５−クロロイミダゾ[１,２−ａ]ピリジン−２−イル、１−Ｈ−インデン−３−イル、１−Ｈ−２−メチル−インデン−２−イル、３,４−ジヒドロナフト−１−イル、Ｓ−４−イソプロペニルシクロヘキセン−１−イルまたは４−ジヒドロナフト−２−イルよりなる群から選択されるメンバーであり；
Ｒ53は−Ｈ、Ｃ1−Ｃ6アルキル、Ｃ3−Ｃ6シクロアルキル、(所望により１、２または３個の−ハロ、Ｃ1−Ｃ6アルキル、Ｃ1−Ｃ6アルコキシ、−ＣＦ3、−ＯＨ、−ＣＮで置換されていてもよい)フェニル、または０または１個の酸素、窒素または硫黄を含む５−または６−員の不飽和環から選択され、ここに該不飽和環は所望により−Ｈ、Ｃ1−Ｃ6アルキル、Ｃ1−Ｃ6アルコキシ、−ＯＨ、−ＣＨ2ＯＨまたは−(ＣＨ2)n−Ｎ(Ｒ31)(Ｒ32)で置換されていてもよく；
Ｒ54およびＲ55は同一または異なり、−Ｈ、Ｃ1−Ｃ6アルキル、アリルまたは（所望により１、２または３個の−ハロ、Ｃ1−Ｃ6アルキル、Ｃ1−Ｃ6アルコキシまたは−ＣＦ3で置換されていてもよい）フェニルから選択され、あるいは結合している窒素と一緒になって、−ピロリジニル、−ピペリジニル、−４−モルホリニル、−４−チオモルホリニル、−４−ピペラジニル、−４−(１−Ｃ1−Ｃ6アルキル)ピペラジニルから選択される環を形成する]
よりなる群から選択され；
Ｒ41およびＲ42は同一または異なり、−ＨおよびＣ1−Ｃ4アルキルよりなる群から選択され；
Ｒ12は−Ｈ、Ｃ1−Ｃ6アルキル、−Ｃ3−Ｃ6シクロアルキル、−ＣＮ、−Ｃ(Ｏ)ＮＨ2、−Ｃ(Ｏ)Ｎ(Ｃ1−Ｃ6アルキル)(Ｃ1−Ｃ6アルキル)、−ＣＯ2Ｈ、−ＣＯ2(Ｃ1−Ｃ6アルキル)、−ＣＨ2ＯＨ、−ＣＨ2ＮＨ2または−ＣＦ3よりなる群から選択され；
Ｒ13は−Ｈ、Ｃ1−Ｃ6アルキルまたは−ＣＦ3よりなる群から選択され；
Ｙは−Ｓ−、−Ｓ(Ｏ)−、−Ｓ(Ｏ)2または−Ｏ−から選択され；
Ｒ4は−Ｈ、−ＯＨ、ハロまたは−ＮＲ15Ｒ16よりなる群から選択され、ここにＲ15は−ＨであってＲ16は−Ｈ、Ｃ1−Ｃ6アルキルまたは−ＮＨ2であり、あるいはＲ15とＲ16とは−Ｎと一緒になって１−ピロリジノ、４−モルホリノまたは１−ピペリジノを形成し；
Ｒ5は−Ｈ、−Ｃ2Ｈ4ＯＨ、−Ｃ2Ｈ4−Ｏ−ＴＢＤＭＳ、ハロ、−Ｃ3−Ｃ6シクロアルキル、Ｃ1−Ｃ4アルキルまたはＣ1−Ｃ3アルコキシよりなる群から選択され；
あるいはＲ4とＲ5とは一緒になって５−または６−員の飽和または不飽和環を形成し、これはピリミジン環と一緒になって７Ｈ−ピロロ[２,３−ｄ]ピリミジン、５,６−ジヒドロ−７Ｈ−ピロロ[２,３−ｄ]ピリミジン、フロ[２,３−ｄ]ピリミジン、５,６−ジヒドロ−フロ[２,３−ｄ]ピリミジン、チエノ[２,３−ｄ]ピリミジン、５,６−ジヒドロチエノ[２,３−ｄ]ピリミジン、１Ｈ−ピラゾロ[３,４−ｄ]ピリミジン、１Ｈ−プリン、ピリミド[４,５−ｄ]ピリミジン、プテリジン、ピリド[２,３−ｄ]ピリミジンまたはキナゾリンよりなる基を形成し、ここに該不飽和環は所望により１、２または３個のＣ1−Ｃ6アルキル、Ｃ1−Ｃ6アルコキシ、−ＯＨ、−ＣＨ2ＯＨまたは−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))で置換されていてもよく、該飽和環は所望により１、２または３個の−Ｃ1−Ｃ6アルキル、−Ｃ1−Ｃ6アルコキシ、−ＯＨ、−ＣＨ2ＯＨもしくは−(ＣＨ2)n−Ｎ(Ｒ31)(Ｒ32)または１個のオキソ(＝Ｏ)で置換されていてもよく；および
Ｒ6は−Ｓ−Ｃ1-6アルキルである｝
で示される化合物、またはその医薬上許容される塩、水和物、Ｎ−オキシドおよび溶媒和物。
【請求項２】  ｍがＯであり、ｓが０であってＹが−Ｓであることを特徴とする請求項１記載の化合物。
【請求項３】  Ｒ12がＣＨ3であってＲ13が−Ｈであることを特徴とする請求項２記載の化合物。
【請求項４】  Ｒ4がＮＨ2であり、Ｒ5が−ＨであってＲ6が−ＳＣＨ3であることを特徴とする請求項３記載の化合物。
【請求項５】  Ｒ1が
【化３】
2002526378.tif 000003
であることを特徴とする請求項３記載の化合物。
【請求項６】  Ｒ4がＮＨ2であり、Ｒ5が−ＨであってＲ6が−ＳＣＨ3であることを特徴とする請求項５記載の化合物。
【請求項７】  Ｒ1が、３−イソキノリニル、１−イソキノリニル、２−キノリニル、３−キノリニル、３−(５,６,７,８−テトラヒドロ)−イソキノリニル、１−(５,６,７,８−テトラヒドロ)−イソキノリニル、２−(５,６,７,８−テトラヒドロ)−キノリニル、３−(５,６,７,８−テトラヒドロ)−キノリニル、３−(５,６−ジヒドロ)−２Ｈ−２−ピリンジニル、１−(５,６−ジヒドロ)−２Ｈ−２−ピリンジニル、２−(５,６−ジヒドロ)−１Ｈ−１−ピリンジニル、３−(５,６−ジヒドロ)−１Ｈ−１−ピリンジニル、５−フロ[２,３−ｃ]ピリジニル、６−フロ[３,２−ｃ]ピリジニル、４−フロ[３,２−ｃ]ピリジニル、７−フロ[２,３−ｃ]ピリジニル、６−フロ[２,３−ｂ]ピリジニル、５−フロ[３,２−ｂ]ピリジニル、５−(２,３−ジヒドロ)−フロ[２,３−ｃ]ピリジニル、６−(２,３−ジヒドロ)−フロ[３,２−ｃ]ピリジニル、４−(２,３−ジヒドロ)−フロ[３,２−ｃ]ピリジニル、７−(２,３−ジヒドロ)−フロ[２,３−ｃ]ピリジニル、６−(２,３−ジヒドロ)−フロ[２,３−ｂ]ピリジニル、５−(２,３−ジヒドロ)−フロ[３,２−ｂ]ピリジニル、６−(１,３−ジヒドロ)−フロ[３,４−ｃ]ピリジニル、４−(１,３−ジヒドロ)−フロ[３,４−ｃ]ピリジニル、２−(５,７−ジヒドロ)−フロ[３,４−ｂ]ピリジニル、６−(３,４−ジヒドロ)−２Ｈ−ピラノ[２,３−ｃ]ピリジニル、６−(３,４−ジヒドロ)−１Ｈ−ピラノ[３,４−ｃ]ピリジニル、７−(３,４−ジヒドロ)−１Ｈ−ピラノ[４,３−ｃ]ピリジニル、７−(３,４−ジヒドロ)−２Ｈ−ピラノ[３,２−ｃ]ピリジニル、５−(３,４−ジヒドロ)−２Ｈ−ピラノ[３,２−ｃ]ピリジニル、５−(３,４−ジヒドロ)−１Ｈ−ピラノ[４,３−ｃ]ピリジニル、８−(３,４−ジヒドロ)−１Ｈ−ピラノ[３,４−ｃ]ピリジニル、８−(３,４−ジヒドロ)−２Ｈ−ピラノ[２,３−ｃ]ピリジニル、７−(３,４−ジヒドロ)−２Ｈ−ピラノ[２,３−ｂ]ピリジニル、２−(５,６−ジヒドロ)−１Ｈ−ピラノ[３,４−ｂ]ピリジニル、２−(５,６−ジヒドロ)−２Ｈ−ピラノ[４,３−ｂ]ピリジニル、６−(３,４−ジヒドロ)−２Ｈ−ピラノ[３,２−ｂ]ピリジニル、５−１Ｈ−ピロロ[２,３−ｃ]ピリジニル、６−１Ｈ−ピロロ[３,２−ｃ]ピリジニル、４−１Ｈ−ピロロ[３,２−ｃ]ピリジニル、７−１Ｈ−ピロロ[２,３−ｃ]ピリジニル、６−１Ｈ−ピロロ[２,３−ｂ]ピリジニル、５−１Ｈ−ピロロ[３,２−ｂ]ピリジニル、５−(２,３−ジヒドロ)−１Ｈ−ピロロ[２,３−ｃ]ピリジニル、６−(２,３−ジヒドロ)−１Ｈ−ピロロ[３,２−ｃ]ピリジニル、４−(２,３−ジヒドロ)−１Ｈ−ピロロ[３,２−ｃ]ピリジニル、７−(２,３−ジヒドロ)−１Ｈ−ピロロ[２,３−ｃ]ピリジニル、６−(２,３−ジヒドロ)−１Ｈ−ピロロ[２,３−ｂ]ピリジニル、５−(２,３−ジヒドロ)−１Ｈ−ピロロ[３,２−ｂ]ピリジニル、６−(１,３−ジヒドロ)−１Ｈ−ピロロ[３,４−ｃ]ピリジニル、４−(１,３−ジヒドロ)−１Ｈ−ピロロ[３,４−ｃ]ピリジニル、２−(５,７−ジヒドロ)−１Ｈ−ピロロ[３,４−ｂ]ピリジニル、６−１,７−ナフチリジニル、６−２,７−ナフチリジニル、７−２,６−ナフチリジニル、７−１,６−ナフチリジニル、５−１,６−ナフチリジニル、５−２,６−ナフチリジニル、８−２,７−ナフチリジニル、８−１,７−ナフチリジニル、７−１,８−ナフチリジニル、２−１,７−ナフチリジニル、２−１,６−ナフチリジニル、６−１,５−ナフチリジニル、６−(１,２,３,４−テトラヒドロ)−１,７−ナフチリジニル、６−(１,２,３,４−テトラヒドロ)−２,７−ナフチリジニル、７−(１,２,３,４−テトラヒドロ)−２,６−ナフチリジニル、７−(１,２,３,４−テトラヒドロ)−１,６−ナフチリジニル、５−(１,２,３,４−テトラヒドロ)−１,６−ナフチリジニル、５−(１,２,３,４−テトラヒドロ)−２,６−ナフチリジニル、８−(１,２,３,４−テトラヒドロ)−２,７−ナフチリジニル、８−(１,２,３,４−テトラヒドロ)−１,７−ナフチリジニル、７−(１,２,３,４−テトラヒドロ)−１,８−ナフチリジニル、２−(５,６,７,８−テトラヒドロ)−１,７−ナフチリジニル、２−(５,６,７,８−テトラヒドロ)−１,６−ナフチリジニル、６−(１,２,３,４−テトラヒドロ)−１,５−ナフチリジニル、１−ナフチル、２−ナフチル、５−(１,２,３,４−テトラヒドロ)−ナフチル、６−(１,２,３,４−テトラヒドロ)−ナフチル、４−(２,３−ジヒドロ)−１Ｈ−インデニル、５−(２,３−ジヒドロ)−１Ｈ−インデニル、５−ベンゾフラニル、４−ベンゾフラニル、６−ベンゾフラニル、７−ベンゾフラニル、５−(２,３−ジヒドロ)−ベンゾフラニル、４−(２,３−ジヒドロ)−ベンゾフラニル、６−(２,３−ジヒドロ)−ベンゾフラニル、７−(２,３−ジヒドロ)−ベンゾフラニル、４−(１,３−ジヒドロ)−イソベンゾフラン、５−(１,３−ジヒドロ)−イソベンゾフラン、４−１Ｈ−インドリル、５−１Ｈ−インドリル、６−１Ｈ−インドリル、７−１Ｈ−インドリル、４−(２,３−ジヒドロ)−１Ｈ−インドリル、５−(２,３−ジヒドロ)−１Ｈ−インドリル、６−(２,３−ジヒドロ)−１Ｈ−インドリル、７−(２,３−ジヒドロ)−１Ｈ−インドリル、４−(１,３−ジヒドロ)−１Ｈ−イソインドリル、５−(１,３−ジヒドロ)−１Ｈ−イソインドリル、５−(３,４−ジヒドロ)−１Ｈ−２−ベンゾピラニル、６−(３,４−ジヒドロ)−１Ｈ−２−ベンゾピラニル、７−(３,４−ジヒドロ)−１Ｈ−２−ベンゾピラニル、８−(３,４−ジヒドロ)−１Ｈ−２−ベンゾピラニル、５−(３,４−ジヒドロ)−２Ｈ−１−ベンゾピラニル、６−(３,４−ジヒドロ)−２Ｈ−１−ベンゾピラニル、７−(３,４−ジヒドロ)−２Ｈ−１−ベンゾピラニル、８−(３,４−ジヒドロ)−２Ｈ−１−ベンゾピラニル、５−(１,２,３,４−テトラヒドロ)−イソキノリニル、６−(１,２,３,４−テトラヒドロ)−イソキノリニル、７−(１,２,３,４−テトラヒドロ)−イソキノリニル、８−(１,２,３,４−テトラヒドロ)−イソキノリニル、５−(１,２,３,４−テトラヒドロ)−キノリニル、６−(１,２,３,４−テトラヒドロ)−キノリニル、７−(１,２,３,４−テトラヒドロ)−キノリニル、８−(１,２,３,４−テトラヒドロ)−キノリニル、５−チエノ[２,３−ｃ]ピリジニル、６−チエノ[３,２−ｃ]ピリジニル、４−チエノ[３,２−ｃ]ピリジニル、７−チエノ[２,３−ｃ]ピリジニル、６−チエノ[２,３−ｂ]ピリジニル、５−チエノ[３,２−ｂ]ピリジニル、５−(２,３−ジヒドロ)−チエノ[２,３−ｃ]ピリジニル、６−(２,３−ジヒドロ)−チエノ[３,２−ｃ]ピリジニル、４−(２,３−ジヒドロ)−チエノ[３,２−ｃ]ピリジニル、７−(２,３−ジヒドロ)−チエノ[２,３−ｃ]ピリジニル、６−(２,３−ジヒドロ)−チエノ[２,３−ｂ]ピ��ジニル、５−(２,３−ジヒドロ)−チエノ[３,２−ｂ]ピリジニル、６−(１,３−ジヒドロ)−チエノ[３,４−ｃ]ピリジニル、４−(１,３−ジヒドロ)−チエノ[３,４−ｃ]ピリジニル、２−(５,７−ジヒドロ)−チエノ[３,４−ｂ]ピリジニル、６−(３,４−ジヒドロ)−２Ｈ−チオピラノ[２,３−ｃ]ピリジニル、６−(３,４−ジヒドロ)−１Ｈ−チオピラノ[３,４−ｃ]ピリジニル、７−(３,４−ジヒドロ)−１Ｈ−チオピラノ[４，３−ｃ]ピリジニル、７−(３,４−ジヒドロ)−２Ｈ−チオピラノ[３，２−ｃ]ピリジニル、５−(３,４−ジヒドロ)−２Ｈ−チオピラノ[３,２−ｃ]ピリジニル、５−(３,４−ジヒドロ)−１Ｈ−チオピラノ[４,３−ｃ]ピリジニル、８−(３,４−ジヒドロ)−１Ｈ−チオピラノ[３,４−ｃ]ピリジニル、８−(３,４−ジヒドロ)−２Ｈ−チオピラノ[２,３−ｃ]ピリジニル、７−(３,４−ジヒドロ)−２Ｈ−チオピラノ[２,３−ｂ]ピリジニル、２−(５,６−ジヒドロ)−１Ｈ−チオピラノ[３,４−ｂ]ピリジニル、２−(５,６−ジヒドロ)−２Ｈ−チオピラノ[４,３−ｂ]ピリジニル、６−(３,４−ジヒドロ)−２Ｈ−チオピラノ[３,２−ｂ]ピリジニル、５−ベンゾ[ｂ]チオフェニル、４−ベンゾ[ｂ]チオフェニル、６−ベンゾ[ｂ]チオフェニル、７−ベンゾ[ｂ]チオフェニル、５−(２,３−ジヒドロ)−ベンゾ[ｂ]チオフェニル、４−(２,３−ジヒドロ)−ベンゾ[ｂ]チオフェニル、６−(２,３−ジヒドロ)−ベンゾ[ｂ]チオフェニル、７−(２,３−ジヒドロ)−ベンゾ[ｂ]チオフェニル、４−(１,３−ジヒドロ)−ベンゾ[ｃ]チオフェイル、５−(１,３−ジヒドロ)−ベンゾ[ｃ]チオフェニル、５−(３,４−ジヒドロ)−１Ｈ−２−ベンゾチオピラニル、６−(３,４−ジヒドロ)−１Ｈ−２−ベンゾチオピラニル、７−(３,４−ジヒドロ)−１Ｈ−２−ベンゾチオピラニル、８−（３,４−ジヒドロ）−１Ｈ−２−ベンゾチオピラニル、５−(３,４−ジヒドロ)−２Ｈ−１−ベンゾチオピラニル、６−(３,４−ジヒドロ)−２Ｈ−１−ベンゾチオピラニル、７−(３,４−ジヒドロ)−２Ｈ−１−ベンゾチオピラニル、または８−(３,４−ジヒドロ)−２Ｈ−１−ベンゾチオピラニルよりなる群から選択される５−または６−員の飽和または不飽和環；または１、２もしくは３個のＣ1−Ｃ6アルキル、Ｃ1−Ｃ6アルコキシ、−ＯＨ、−ＣＨ2ＯＨ、−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))、−ＣＮ、−ＣＨ2ＣＦ3もしくは−ＣＨ(ＣＦ3)2またはフェニルで置換されたかかる５−または６−員環であって、該飽和環は所望により１、２もしくは３個の−Ｃ1−Ｃ6アルキル、−Ｃ1−Ｃ6アルコキシ、−ＯＨ、−ＣＨ2ＯＨもしくは−(ＣＨ2)n−Ｎ(Ｒ31)(Ｒ32)または１個のオキソ(＝Ｏ)で置換されていてもよいことを特徴とする請求項３記載の化合物。
【請求項８】  Ｒ4がＮＨ2であり、Ｒ5が−ＨであってＲ6が−ＳＣＨ3であることを特徴とする請求項７記載の化合物。
【請求項９】  Ｒ1が、３−イソキノリニル、１−イソキノリニル、２−キノリニル、３−キノリニル、３−(５,６,７,８−テトラヒドロ)−イソキノリニル、１−(５,６,７,８−テトラヒドロ)−イソキノリニル、２−(５,６,７,８−テトラヒドロ)−キノリニル、３−(５,６,７,８−テトラヒドロ)−キノリニル、３−(５,６−ジヒドロ)−２Ｈ−２−ピリンジニル、１−(５,６−ジヒドロ)−２Ｈ−２−ピリンジニル、２−(５,６−ジヒドロ)−１Ｈ−１−ピリンジニル、３−(５,６−ジヒドロ)−１Ｈ−１−ピリンジニル、５−フロ[２,３−ｃ]ピリジニル、６−フロ[３,２−ｃ]ピリジニル、４−フロ[３,２−ｃ]ピリジニル、７−フロ[２,３−ｃ]ピリジニル、６−フロ[２,３−ｂ]ピリジニル、５−フロ[３,２−ｂ]ピリジニル、５−(２,３−ジヒドロ)−フロ[２,３−ｃ]ピリジニル、６−(２,３−ジヒドロ)−フロ[３，２−ｃ]ピリジニル、４−(２,３−ジヒドロ)−フロ[３,２−ｃ]ピリジニル、７−(２,３−ジヒドロ)−フロ[２,３−ｃ]ピリジニル、６−(２,３−ジヒドロ)−フロ[２,３−ｂ]ピリジニル、５−(２,３−ジヒドロ)−フロ[３,２−ｂ]ピリジニル、６−(１,３−ジヒドロ)−フロ[３,４−ｃ]ピリジニル、４−(１,３−ジヒドロ)−フロ[３,４−ｃ]ピリジニル、２−(５,７−ジヒドロ)−フロ[３,４−ｂ]ピリジニル、６−(３,４−ジヒドロ)−２Ｈ−ピラノ[２,３−ｃ]ピリジニル、６−(３,４−ジヒドロ)−１Ｈ−ピラノ[３,４−ｃ]ピリジニル、７−(３,４−ジヒドロ)−１Ｈ−ピラノ[４,３−ｃ]ピリジニル、７−(３,４−ジヒドロ)−２Ｈ−ピラノ[３,２−ｃ]ピリジニル、５−(３,４−ジヒドロ)−２Ｈ−ピラノ[３,２−ｃ]ピリジニル、５−(３,４−ジヒドロ)−１Ｈ−ピラノ[４,３−ｃ]ピリジニル、８−(３,４−ジヒドロ)−１Ｈ−ピラノ[３,４−ｃ]ピリジニル、８−(３,４−ジヒドロ)−２Ｈ−ピラノ[２,３−ｃ]ピリジニル、７−(３,４−ジヒドロ)−２Ｈ−ピラノ[２,３−ｂ]ピリジニル、２−(５,６−ジヒドロ)−１Ｈ−ピラノ[３,４−ｂ]ピリジニル、２−(５,６−ジヒドロ)−２Ｈ−ピラノ[４,３−ｂ]ピリジニルおよび６−(３,４−ジヒドロ)−２Ｈ−ピラノ[３,２−ｂ]ピリジニルより群から選択される５−または６−員の飽和または不飽和環、または１、２または３個のＣ1−Ｃ6アルキル、Ｃ1−Ｃ6アルコキシ、−ＯＨ、−ＣＨ2ＯＨ、−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))、−ＣＮ、−ＣＨ2ＣＦ3または−ＣＨ(ＣＦ3)2で置換されたかかる５−または６−員環、またフェニルであって、該飽和環は所望により１、２もしくは３個の−Ｃ1−Ｃ6アルキル、−Ｃ1−Ｃ6アルコキシ、−ＯＨ、−ＣＨ2ＯＨもしくは−(ＣＨ2)nＮ(Ｒ31)(Ｒ32)または１個のオキソ(＝Ｏ)で置換されていてもよいことを特徴とする請求項８記載の化合物。
【請求項１０】  (Ｅ)−Ｎ,Ｎ−ジエチル−４−[(４−アミノ−６−メチルチオ−２−ピリミジニル)チオ]−２−ブテンアミド（化合物番号１９４）
（Ｅ）−１−[４−[(４−アミノ−６−メチルチオ−２−ピリミジニル)チオ]−１−オキソ−2−ブテニル]ピロリジン（化合物番号１９９）
（Ｅ）−Ｎ−エチル−Ｎ−メチル−４−[(４−アミノ−６−メチルチオ−２−ピリミジニル)チオ]−２−ブテンアミド（化合物番号２０３）
（Ｅ）−Ｎ,Ｎ−ジエチル−４−[(４−アミノ−６−メチルチオ−２−ピリミジニル)チオ]−２−ペンタンアミド（化合物番号２０７）
４−アミノ−６−メチルチオ−２−(１−(３−イソキノリル)エチル)チオ−ピリミジン（化合物番号２３０）
４−アミノ−５−ブロモ−６−メチルチオ−２−(１−(３−イソキノリル)エチル)チオ−ピリミジン（化合物番号２３１）
４−アミノ−６−メチルチオ−２−(１−(３−(５,６,７,８−テトラヒドロイソキノリル))エチル)チオ−ピリミジン（化合物番号２３３）
４−アミノ−６−メチルチオ−２−(１−(７−クロロフロ[２,３−ｃ]ピリジン−５−イル)エチル)チオ−ピリミジン（化合物番号２３７）
４−アミノ−６−メチルチオ−２−(１−(フロ[２,３−ｃ]ピリジン−５−イル)エチル)チオ−ピリミジン(化合物番号２３８)
４−アミノ−６−メチルチオ−２−(１−(７−クロロ−２−メチルフロ[２,３−ｃ]ピリジン−５−イル)エチル)チオ−ピリミジン（化合物番号２４０）
４−アミノ−６−メチルチオ−２−(１−(２−メチルフロ[２,３ｃ]ピリジン−５−イル)エチル)チオ−ピリミジン(化合物番号２４２)
４−アミノ−６−メチルチオ−２−(１−(２−メチルフロ[２,３ｃ]ピリジン−５−イル)エチル)チオ−ピリミジン(化合物番号２４３)
４−アミノ−６−メチルチオ−２−(１−(３−メチルフロ[２,３ｃ]ピリジン−５−イル)エチル)チオ−ピリミジン(化合物番号２４６)
４−アミノ−６−メチルチオ−２−(１−(２,３−ジヒドロフロ[２,３ｃ]ピリジン−５−イル)エチル)チオ−ピリミジン(化合物番号２４７)
４−アミノ−６−メチルチオ−２−(１−(３,３−ジメチル−２,３−ジヒドロフロ[２,３ｃ]ピリジン−５−イル)エチル)チオ−ピリミジン（化合物番号２４８）
４−アミノ−６−メチルチオ−２−(１−(３−エチルフロ[２,３ｃ]ピリジン−５−イル)エチル)チオ−ピリミジン（化合物番号２４９）
４−アミノ−６−メチルチオ−２−(１−(７−クロロ−３,３−ジメチル−２,３−ジヒドロフロ[２,３ｃ]ピリジン−５−イル)エチル)チオ−ピリミジン（化合物番号２５０）
４−アミノ−６−メチルチオ−２−(１−(７−クロロ−３−エチルフロ[２,３ｃ]ピリジン−５−イル)エチル)チオ−ピリミジン（化合物番号２５１）
４−アミノ−６−メチルチオ−２−(１−(３−(１−メチルエチル)フロ[２,３ｃ]−ピリジン−５−イル)エチル)チオ−ピリミジン（化合物番号２５２）
４−アミノ−６−メチルチオ−２−(１−(３−クロロフロ[２,３ｃ]ピリジン−５−イル)エチル)チオ−ピリミジン（化合物番号２８２）
４−アミノ−６−メチルチオ−２−(１−(３,７−ジクロロフロ[２,３ｃ]ピリジン−５−イル)エチル)チオ−ピリミジン（化合物番号２８３）
４−アミノ−６−メチルチオ−２−(１−(３−ブロモフロ[２,３ｃ]ピリジン−５−イル)エチル)チオ−ピリミジン（化合物番号２８４）
４−アミノ−６−メチルチオ−２−(１−(３−ブロモ−７−クロロフロ[２,３ｃ]ピリジン−５−イル)エチル)チオ−ピリミジン（化合物番号２８５）
４−アミノ−６−メチルチオ−２−(１−(７−クロロ−３−メチルフロ[２,３ｃ]ピリジン−５−イル)エチル)チオ−ピリミジン（化合物番号２８６）
４−アミノ−６−トリフルオロメチル−２−(１−(７−クロロ−３,３−ジメチル−２,３−ジヒドロフロ[２,３ｃ]ピリジン−５−イル)エチル)チオ−ピリミジン（化合物番号２８７）
(Ｒ)−(＋)−４−アミノ−６−メチルチオ−２−(１−(３−メチルフロ[２,３ｃ]ピリジン−５−イル)エチル)チオ−ピリミジン（化合物番号２８９）
(Ｓ)−(−)−４−アミノ−６−メチルチオ−２−(１−(３−メチルフロ[２,３ｃ]ピリジン−５−イル)エチル)チオ−ピリミジン（化合物番号２９０）
(Ｓ)−(−)−４−アミノ−６−トリフルオロメチル−２−(１−(３−メチルフロ[２,３ｃ]ピリジン−５−イル)エチルチオ）−ピリミジン（化合物番号２９７）
(Ｓ)−(−)−４−アミノ−６−メチルチオ−２−(１−(フロ[２,３ｃ]ピリジン−５−イル)エチルチオ)−ピリミジン(化合物番号１) 、ならびにそれらの医薬上許容される塩、水和物、Ｎ−オキシドおよび溶媒和物よりなる群から選択されることを特徴とする請求項１記載の化合物。
【請求項１１】  式Ｉ：
【化４】
2002526378.tif 000004
｛式中、ｍは０または１であり；
Ｒ1は−Ｃ≡ＣＨ、−ＣＯ2Ｒ53、−ＣＯＮＲ54Ｒ55、
【化５】
2002526378.tif 000005
[式中、ｓは０または１であってＲ20、Ｒ21、Ｒ22、Ｒ23、Ｒ24およびＲ25は同一または異なり、−Ｈ、Ｃ1−Ｃ6アルキル、Ｃ1−Ｃ6アルケニル、Ｃ1−Ｃ6アルコキシ、Ｃ1−Ｃ6アルキルチオ、−Ｃ3−Ｃ8シクロアルキル、−ＣＦ3、−ＮＯ2、−ハロ、−ＯＨ、−ＣＮ、フェニル、フェニルチオ、−スチリル、−ＣＯ2(Ｒ31)、−ＣＯＮ(Ｒ31)(Ｒ32)、−ＣＯ(Ｒ31)、−(ＣＨ2)n−Ｎ(Ｒ31)(Ｒ32)、−Ｃ(ＯＨ)(Ｒ31)(Ｒ33)、−(ＣＨ2)nＮ(Ｒ31)(ＣＯ(Ｒ33))、(ＣＨ2)nＮ(Ｒ31)(ＳＯ2(Ｒ33))から選択され、あるいはＲ20とＲ21、Ｒ21とＲ22、またはＲ22とＲ23とは一緒になって０または１個の酸素、窒素または硫黄を含む５−または６−員の飽和または不飽和環を形成し、ここに該不飽和環は所望により１、２または３個のＣ1−Ｃ6アルキル、Ｃ1−Ｃ6アルコキシ、−ＯＨ、−ＣＨ2ＯＨ、−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))、−ＣＮ、ＣＨ2ＣＦ3または−ＣＨ(ＣＦ3)2またはフェニルで置換されていてもよく、該飽和環は所望により１、２もしくは３個の−Ｃ1−Ｃ6アルキル、−Ｃ1−Ｃ6アルコキシ、−ＯＨ、−ＣＨ2ＯＨもしくは−(ＣＨ2)n−Ｎ(Ｒ31)(Ｒ32)または1個のオキソ(＝Ｏ)で置換されていてもよく；
ｎは０−３であってＲ31、Ｒ32およびＲ33は同一または異なり、
−Ｈ、
Ｃ1−Ｃ6アルキル、
所望により１、２または３個の−ハロ、Ｃ1−Ｃ6アルキル、Ｃ1−Ｃ6アルコキシ、−ＣＦ3、−ＯＨまたは−ＣＮで置換されていてもよいフェニルであり、
あるいは、Ｒ31とＲ32とは結合している窒素と一緒になって、−ピロリジニル、−ピペリジニル、−４−モルホリニル、−４−チオモルホリニル、−４−ピペラジニル、−４−(１−Ｃ1−Ｃ6アルキル)ピペラジニルから選択される環を形成し、
あるいは、１−シクロヘキセニル、２−ピリミジニル、４−ピリミジニル、５−ピリミジニル、２−イミダゾリル、４−イミダゾリル、２−ベンゾチアゾリル、２−ベンゾオキサゾリル、２−ベンゾイミダゾリル、２−オキサゾリル、４−オキサゾリル、２−チアゾリル、３−イソオキサゾリル、５−イソオキサゾリル、５−メチル−３−イソオキサゾリル、５−フェニル−３−イソオキサゾリル、４−チアゾリル、３−メチル−２−ピラジニル、５−メチル−２−ピラジニル、６−メチル−２−ピラジニル、５−クロロ−２−チエニル、３−フリル、ベンゾフラン−２−イル、ベンゾチエン−２−イル、２Ｈ−１−ベンゾピラン−３−イル、２,３−ジヒドロベンゾピラン−５−イル、１−メチルイミダゾール−２−イル、キノキサリン−２−イル、ピペロン−５−イル、４,７−ジクロロベンゾオキサゾール−２−イル、４,６−ジメチル−ピリミジン−２−イル、４−メチルピリミジン−２−イル、２,４−ジメチルピリミジン−６−イル、２−メチルピリミジン−４−イル、４−メチルピリミジン−６−イル、６−クロロピペロン−５−イル、５−クロロイミダゾ[１,２−ａ]ピリジン−２−イル、１−Ｈ−インデン−３−イル、１−Ｈ−２−メチル−インデン−２−イル、３,４−ジヒドロナフト−１−イル、Ｓ−４−イソプロペニルシクロヘキセン−１−イルまたは４−ジヒドロナフト−２−イルよりなる群から選択されるメンバーであり；
Ｒ53は−Ｈ、Ｃ1−Ｃ6アルキル、Ｃ3−Ｃ6シクロアルキル、（所望により１、２もしくは３個の−ハロ、Ｃ1−Ｃ6アルキル、Ｃ1−Ｃ6アルコキシ、−ＣＦ3、−ＯＨ、−ＣＮで置換されていてもよい）フェニル、または０もしくは１個の酸素、窒素もしくは硫黄を含む５−もしくは６−員の不飽和環よりなる群から選択され、ここに該不飽和環は所望により−Ｈ、Ｃ1−Ｃ6アルキル、Ｃ1−Ｃ6アルコキシ、−ＯＨ、−ＣＨ2ＯＨもしくは−(ＣＨ2)n−Ｎ(Ｒ31)(Ｒ32)で置換されていてもよく；
Ｒ54およびＲ55は同一または異なり、−Ｈ、Ｃ1−Ｃ6アルキル、アリル、または（所望により１、２もしくは３個の−ハロ、Ｃ1−Ｃ6アルキル、Ｃ1−Ｃ6アルコキシまたは−ＣＦ3で置換されていてもよい）フェニルから選択され、あるいは結合している窒素と一緒になって−ピロリジニル、−ピペリジニル、−４−モルホリニル、−４−チオモルホリニル、−４−ピペラジニル、−４−(１−Ｃ1−Ｃ6アルキル)ピペラジニルから選択される環を形成する]
よりなる群から選択され；
Ｒ41およびＲ42は同一または異なり、−ＨおよびＣ1−Ｃ4アルキルよりなる群から選択され；
Ｒ12は−Ｈ、Ｃ1−Ｃ6アルキル、−Ｃ3−Ｃ6シクロアルキル、−ＣＮ、−Ｃ(Ｏ)ＮＨ2、−Ｃ(Ｏ)Ｎ(Ｃ1−Ｃ6アルキル)(Ｃ1−Ｃ6アルキル)、−ＣＯ2Ｈ、−ＣＯ2(Ｃ1−Ｃ6アルキル)、−ＣＨ2ＯＨ、−ＣＨ2ＮＨ2または−ＣＦ3よりなる群から選択され；
Ｒ13は−Ｈ、Ｃ1−Ｃ6アルキルまたは−ＣＦ3よりなる群から選択され；
Ｙは−Ｓ−、−Ｓ(Ｏ)−、−Ｓ(Ｏ)2または−Ｏ−から選択され；
Ｒ4は−Ｈ、−ＯＨ、ハロまたは−ＮＲ15Ｒ16よりなる群から選択され、ここにＲ15は−ＨであってＲ16は−Ｈ、Ｃ1−Ｃ6アルキル、−ＮＨ2であり、あるいはＲ15とＲ16とは−Ｎと一緒になって１−ピロリジノ、４−モルホリノまたは１−ピペリジノを形成し；
Ｒ5は−Ｈ、−Ｃ2Ｈ4ＯＨ、−Ｃ2Ｈ4−Ｏ−ＴＢＤＭＳ、ハロ、−Ｃ3−Ｃ6シクロアルキル、Ｃ1−Ｃ4アルキルまたはＣ1−Ｃ3アルコキシよりなる群から選択され；
あるいはＲ4とＲ5とは一緒になって、５−または６−員の飽和または不飽和環を形成し、これはピリミジン環と一緒になって、７Ｈ−ピロロ[２,３−ｄ]ピリミジン、５,６−ジヒドロ−７Ｈ−ピロロ[２,３−ｄ]ピリミジン、フロ[２,３−ｄ]ピリミジン、５,６−ジヒドロ−フロ[２,３−ｄ]ピリミジン、チエノ[２,３−ｄ]ピリミジン、５,６−ジヒドロ−チエノ[２,３−ｄ]ピリミジン、１Ｈ−ピラゾロ[３,４−ｄ]ピリミジン、１Ｈ−プリン、ピリミド[４,５−ｄ]ピリミジン、プテリジン、ピリド[２,３−ｄ]ピリミジンまたはキナゾリンよりなる基を形成し、ここに該不飽和環は所望により１、２もしくは３個のＣ1−Ｃ6アルキル、Ｃ1−Ｃ6アルコキシ、−ＯＨ、−ＣＨ2ＯＨ、または−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))で置換されていてもよく、該飽和環は所望により１、２もしくは３個の−Ｃ1−Ｃ6アルキル、−Ｃ1−Ｃ6アルコキシ、−ＯＨ、−ＣＨ2ＯＨもしくは−(ＣＨ2)n−Ｎ(Ｒ31)(Ｒ32)または１個のオキソ(＝Ｏ)で置換されていてもよく；
Ｒ6は−Ｓ−Ｃ1−Ｃ6アルキルである｝
で示される抗−ＡＩＤＳ化合物、ならびにその医薬上許容される塩、水和物、Ｎ−オキシドおよび溶媒和物を有効量含む、ヒト免疫不全ウイルス（ＨＩＶ）に感染した個人を治療するための医薬組成物。
【請求項１２】  ｍが０であり、ｓが０であってＹが−Ｓであることを特徴とする請求項１１記載の医薬組成物。
【請求項１３】  Ｒ12がＣＨ3であってＲ13が−Ｈであることを特徴とする請求項１２記載の医薬組成物。
【請求項１４】  Ｒ4がＮＨ2であり、Ｒ5が−ＨであってＲ6が−ＳＣＨ3であることを特徴とする請求項１３記載の医薬組成物。
【請求項１５】  Ｒ1が
【化６】
2002526378.tif 000006
であることを特徴とする請求項１２記載の医薬組成物。
【請求項１６】  Ｒ4がＮＨ2であり、Ｒ5が−ＨであってＲ6が−ＳＣＨ3であることを特徴とする請求項１５記載の医薬組成物。
【請求項１７】  Ｒ1が、３−イソキノリニル、１−イソキノリニル、２−キノリニル、３−キノリニル、３−(５,６,７,８−テトラヒドロ)−イソキノリニル、１−(５,６,７,８−テトラヒドロ)−イソキノリニル、２−(５,６,７,８−テトラヒドロ)−キノリニル、３−(５,６,７,８−テトラヒドロ)−キノリニル、３−(５,６−ジヒドロ)−２Ｈ−２−ピリンジニル、１−(５,６−ジヒドロ)−２Ｈ−２−ピリンジニル、２−(５,６−ジヒドロ)−１Ｈ−１−ピリンジニル、３−(５,６−ジヒドロ)−１Ｈ−１−ピリンジニル、５−フロ[２,３−ｃ]ピリジニル、６−フロ[３,２−ｃ]ピリジニル、４−フロ[３,２−ｃ]ピリジニル、７−フロ[２,３−ｃ]ピリジニル、６−フロ[２,３−ｂ]ピリジニル、５−フロ[３,２−ｂ]ピリジニル、５−(２,３−ジヒドロ)−フロ[２,３−ｃ]ピリジニル、６−(２,３−ジヒドロ)−フロ[３,２−ｃ]ピリジニル、４−(２,３−ジヒドロ)−フロ[３,２−ｃ]ピリジニル、７−(２,３−ジヒドロ)−フロ[２,３−ｃ]ピリジニル、６−(２,３−ジヒドロ)−フロ[２,３−ｂ]ピリジニル、５−(２,３−ジヒドロ)−フロ[３,２−ｂ]ピリジニル、６−(１,３−ジヒドロ)−フロ[３,４−ｃ]ピリジニル、４−(１,３−ジヒドロ)−フロ[３,４−ｃ]ピリジニル、２−(５,７−ジヒドロ)−フロ[３，４−ｂ]ピリジニル、６−(３,４−ジヒドロ)−２Ｈ−ピラノ[２,３−ｃ]ピリジニル、６−(３,４−ジヒドロ)−１Ｈ−ピラノ[３,４−ｃ]ピリジニル、７−(３,４−ジヒドロ)−１Ｈ−ピラノ[４,３−ｃ]ピリジニル、７−(３,４−ジヒドロ)−２Ｈ−ピラノ[３,２−ｃ]ピリジニル、５−(３,４−ジヒドロ)−２Ｈ−ピラノ[３,２−ｃ]ピリジニル、５−(３,４−ジヒドロ)−１Ｈ−ピラノ[４,３−ｃ]ピリジニル、８−(３,４−ジヒドロ)−１Ｈ−ピラノ[３,４−ｃ]ピリジニル、８−(３,４−ジヒドロ)−２Ｈ−ピラノ[２,３−ｃ]ピリジニル、７−(３,４−ジヒドロ)−２Ｈ−ピラノ[２,３−ｂ]ピリジニル、２−(５,６−ジヒドロ)−１Ｈ−ピラノ[３，４−ｂ]ピリジニル、２−(５,６−ジヒドロ)−２Ｈ−ピラノ[４,３−ｂ]ピリジニル、６−(３,４−ジヒドロ)−２Ｈ−ピラノ[３,２−ｂ]ピリジニル、５−１Ｈ−ピロロ[２,３−ｃ]ピリジニル、６−１Ｈ−ピロロ[３,２−ｃ]ピリジニル、４−１Ｈ−ピロロ[３,２−ｃ]ピリジニル、７−１Ｈ−ピロロ[２,３−ｃ]ピリジニル、６−１Ｈ−ピロロ[２,３−ｂ]ピリジニル、５−１Ｈ−ピロロ[３,２−ｂ]ピリジニル、５−(２,３−ジヒドロ)−１Ｈ−ピロロ[２,３−ｃ]ピリジニル、６−(２,３−ジヒドロ)−１Ｈ−ピロロ[３,２−ｃ]ピリジニル、４−(２,３−ジヒドロ)−１Ｈ−ピロロ[３,２−ｃ]ピリジニル、７−(２,３−ジヒドロ)−１Ｈ−ピロロ[２,３−ｃ]ピリジニル、６−(２,３−ジヒドロ)−１Ｈ−ピロロ[２,３−ｂ]ピリジニル、５−(２,３−ジヒドロ)−１Ｈ−ピロロ[３,２−ｂ]ピリジニル、６−(１,３−ジヒドロ)−１Ｈ−ピロロ[３,４−ｃ]ピリジニル、４−(１,３−ジヒドロ)−１Ｈ−ピロロ[３,４−ｃ]ピリジニル、２−(５,７−ジヒドロ)−１Ｈ−ピロロ[３,４−ｂ]ピリジニル、６−１,７−ナフチリジニル、６−２,７−ナフチリジニル、７−２,６−ナフチリジニル、７−１,６−ナフチリジニル、５−１,６−ナフチリジニル、５−２,６−ナフチリジニル、８−２,７−ナフチリジニル、８−１,７−ナフチリジニル、７−１,８−ナフチリジニル、２−１,７−��フチリジニル、２−１,６−ナフチリジニル、６−１,５−ナフチリジニル、６−(１,２,３,４−テトラヒドロ)−１,７−ナフチリジニル、６−(１,２,３,４−テトラヒドロ)−２,７−ナフチリジニル、７−(１,２,３,４−テトラヒドロ)−２,６−ナフチリジニル、７−(１,２,３,４−テトラヒドロ)−１,６−ナフチリジニル、５−(１,２,３,４−テトラヒドロ)−１,６−ナフチリジニル、５−(１,２,３,４−テトラヒドロ)−２,６−ナフチリジニル、８−(１,２,３,４−テトラヒドロ)−２,７−ナフチリジニル、８−(１,２,３,４−テトラヒドロ)−１,７−ナフチリジニル、７−(１,２,３,４−テトラヒドロ)−１,８−ナフチリジニル、２−(５,６,７,８−テトラヒドロ)−１,７−ナフチリジニル、２−(５,６,７,８−テトラヒドロ)−１,６−ナフチリジニル、６−(１,２,３,４−テトラヒドロ)−１,５−ナフチリジニル、１−ナフチル、２−ナフチル、５−(１,２,３,４−テトラヒドロ)−ナフチル、６−(１,２,３,４−テトラヒドロ)−ナフチル、４−(２,３−ジヒドロ)−１Ｈ−インデニル、５−(２,３−ジヒドロ)−１Ｈ−インデニル、５−ベンゾフラニル、４−ベンゾフラニル、６−ベンゾフラニル、７−ベンゾフラニル、５−(２,３−ジヒドロ)−ベンゾフラニル、４−(２,３−ジヒドロ)−ベンゾフラニル、６−(２,３−ジヒドロ)−ベンゾフラニル、７−(２,３−ジヒドロ)−ベンゾフラニル、４−(１,３−ジヒドロ)−イソベンゾフラン、５−(１,３−ジヒドロ)−イソベンゾフラン、４−１Ｈ−インドリル、５−１Ｈ−インドリル、６−１Ｈ−インドリル、７−１Ｈ−インドリル、４−(２,３−ジヒドロ)−１Ｈ−インドリル、５−(２,３−ジヒドロ)−１Ｈ−インドリル、６−(２,３−ジヒドロ)−１Ｈ−インドリル、７−(２,３−ジヒドロ)−１Ｈ−インドリル、４−(１,３−ジヒドロ)−１Ｈ−イソインドリル、５−(１,３−ジヒドロ)−１Ｈ−イソインドリル、５−(３,４−ジヒドロ)−１Ｈ−２−ベンゾピラニル、６−(３,４−ジヒドロ)−１Ｈ−２−ベンゾピラニル、７−(３,４−ジヒドロ)−１Ｈ−２−ベンゾピラニル、８−(３,４−ジヒドロ)−１Ｈ−２−ベンゾピラニル、５−(３,４−ジヒドロ)−２Ｈ−１−ベンゾピラニル、６−(３,４−ジヒドロ)−２Ｈ−１−ベンゾピラニル、７−(３,４−ジヒドロ)−２Ｈ−１−ベンゾピラニル、８−(３,４−ジヒドロ)−２Ｈ−１−ベンゾピラニル、５−(１,２,３,４−テトラヒドロ)−イソキノリニル、６−(１,２,３,４−テトラヒドロ)−イソキノリニル、７−(１,２,３,４−テトラヒドロ)−イソキノリニル、８−(１,２,３,４−テトラヒドロ)−イソキノリニル、５−(１,２,３,４−テトラヒドロ)−キノリニル、６−(１,２,３,４−テトラヒドロ)−キノリニル、７−(１,２,３,４−テトラヒドロ)−キノリニル、８−(１,２,３,４−テトラヒドロ)−キノリニル、５−チエノ[２,３−ｃ]ピリジニル、６−チエノ[３,２−ｃ]ピリジニル、４−チエノ[３,２−ｃ]ピリジニル、７−チエノ[２,３−ｃ]ピリジニル、６−チエノ[２,３−ｂ]ピリジニル、５−チエノ[３,２−ｂ]ピリジニル、５−(２,３−ジヒドロ)−チエノ[２,３−ｃ]ピリジニル、６−(２,３−ジヒドロ)−チエノ[３,２−ｃ]ピリジニル、４−(２,３−ジヒドロ)−チエノ[３,２−ｃ]ピリジニル、７−(２,３−ジヒドロ)−チエノ[２,３−ｃ]ピリジニル、６−(２,３−ジヒドロ)−チエノ[２,３−��]ピリジニル、５−(２,３−ジヒドロ)−チエノ[３,２−ｂ]ピリジニル、６−(１,３−ジヒドロ)−チエノ[３,４−ｃ]ピリジニル、４−(１,３−ジヒドロ)−チエノ[３,４−ｃ]ピリジニル、２−(５,７−ジヒドロ)−チエノ[３,４−ｂ]ピリジニル、６−(３,４−ジヒドロ)−２Ｈ−チオピラノ[２,３−ｃ]ピリジニル、６−(３,４−ジヒドロ)−１Ｈ−チオピラノ[３,４−ｃ]ピリジニル、７−(３,４−ジヒドロ)−１Ｈ−チオピラノ[４，３−ｃ]ピリジニル、７−(３,４−ジヒドロ)−２Ｈ−チオピラノ[３，２−ｃ]ピリジニル、５−(３,４−ジヒドロ)−２Ｈ−チオピラノ[３,２−ｃ]ピリジニル、５−(３,４−ジヒドロ)−１Ｈ−チオピラノ[４,３−ｃ]ピリジニル、８−(３,４−ジヒドロ)−１Ｈ−チオピラノ[３,４−ｃ]ピリジニル、８−(３,４−ジヒドロ)−２Ｈ−チオピラノ[２,３−ｃ]ピリジニル、７−(３,４−ジヒドロ)−２Ｈ−チオピラノ[２,３−ｂ]ピリジニル、２−(５,６−ジヒドロ)−１Ｈ−チオピラノ[３,４−ｂ]ピリジニル、２−(５,６−ジヒドロ)−２Ｈ−チオピラノ[４,３−ｂ]ピリジニル、６−(３,４−ジヒドロ)−２Ｈ−チオピラノ[３,２−ｂ]ピリジニル、５−ベンゾ[ｂ]チオフェニル、４−ベンゾ[ｂ]チオフェニル、６−ベンゾ[ｂ]チオフェニル、７−ベンゾ[ｂ]チオフェニル、５−(２,３−ジヒドロ)−ベンゾ[ｂ]チオフェニル、４−(２,３−ジヒドロ)−ベンゾ[ｂ]チオフェニル、６−(２,３−ジヒドロ)−ベンゾ[ｂ]チオフェニル、７−(２,３−ジヒドロ)−ベンゾ[ｂ]チオフェニル、４−(１,３−ジヒドロ)−ベンゾ[ｃ]チオフェニル、５−(１,３−ジヒドロ)−ベンゾ[ｃ]チオフェニル、５−(３,４−ジヒドロ)−１Ｈ−２−ベンゾチオピラニル、６−(３,４−ジヒドロ)−１Ｈ−２−ベンゾチオピラニル、７−(３,４−ジヒドロ)−１Ｈ−２−ベンゾチオピラニル、８−(３,４−ジヒドロ)−１Ｈ−２−ベンゾチオピラニル、５−(３,４−ジヒドロ)−２Ｈ−１−ベンゾチオピラニル、６−(３,４−ジヒドロ)−２Ｈ−１−ベンゾチオピラニル、７−(３,４−ジヒドロ)−２Ｈ−１−ベンゾチオピラニル、または８−(３,４−ジヒドロ)−２Ｈ−１−ベンゾチオピラニルよりなる群から選択される５−または６−員の飽和または不飽和環；あるいは１、２または３個のＣ1−Ｃ6アルキル、Ｃ1−Ｃ6アルコキシ、−ＯＨ、−ＣＨ2ＯＨ、−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))、−ＣＮ、−ＣＨ2ＣＦ3または−ＣＨ(ＣＦ3)2またはフェニルで置換されたかかる５−または６−員環であり、ここに該飽和環は所望により１、２もしくは３個の−Ｃ1−Ｃ6アルキル、−Ｃ1−Ｃ6アルコキシ、−ＯＨ、−ＣＨ2ＯＨもしくは−(ＣＨ2)n−Ｎ(Ｒ31)(Ｒ32)または１個のオキソ(＝Ｏ)で置換されていてもよいことを特徴とする請求項１４記載の医薬組成物。
【請求項１８】  Ｒ4がＮＨ2であり、Ｒ5が−ＨであってＲ6が−ＳＣＨ3であることを特徴とする請求項１７記載の医薬組成物。
【請求項１９】  Ｒ1が、３−イソキノリニル、１−イソキノリニル、２−キノリニル、３−キノリニル、３−(５,６,７,８−テトラヒドロ)−イソキノリニル、１−(５,６,７,８−テトラヒドロ)−イソキノリニル、２−(５,６,７,８−テトラヒドロ)−キノリニル、３−(５,６,７,８−テトラヒドロ)−キノリニル、３−(５,６−ジヒドロ)−２Ｈ−２−ピリンジニル、１−(５,６−ジヒドロ)−２Ｈ−２−ピリンジニル、２−(５,６−ジヒドロ)−１Ｈ−１−ピリンジニル、３−(５,６−ジヒドロ)−１Ｈ−ピリンジニル、５−フロ[２,３−ｃ]ピリジニル、６−フロ[３,２−ｃ]ピリジニル、４−フロ[３,２−ｃ]ピリジニル、７−フロ[２,３−ｃ]ピリジニル、６−フロ[２,３−ｂ]ピリジニル、５−フロ[３,２−ｂ]ピリジニル、５−(２,３−ジヒドロ)−フロ[２,３−ｃ]ピリジニル、６−(２,３−ジヒドロ)−フロ[３,２−ｃ]ピリジニル、４−(２,３−ジヒドロ)−フロ[３,２−ｃ]ピリジニル、７−(２,３−ジヒドロ)−フロ[２,３−ｃ]ピリジニル、６−(２,３−ジヒドロ)−フロ[２,３−ｂ]ピリジニル、５−(２,３−ジヒドロ)−フロ[３,２−ｂ]ピリジニル、６−(１,３−ジヒドロ)−フロ[３,４−ｃ]ピリジニル、４−(１,３−ジヒドロ)−フロ[３,４−ｃ]ピリジニル、２−(５,７−ジヒドロ)−フロ[３,４−ｂ]ピリジニル、６−(３,４−ジヒドロ)−２Ｈ−ピラノ[２,３−ｃ]ピリジニル、６−(３,４−ジヒドロ)−１Ｈ−ピラノ[３,４−ｃ]ピリジニル、７−(３,４−ジヒドロ)−１Ｈ−ピラノ[４,３−ｃ]ピリジニル、７−(３,４−ジヒドロ)−２Ｈ−ピラノ[３,２−ｃ]ピリジニル、５−(３,４−ジヒドロ)−２Ｈ−ピラノ[３,２−ｃ]ピリジニル、５−(３,４−ジヒドロ)−１Ｈ−ピラノ[４,３−ｃ]ピリジニル、８−(３,４−ジヒドロ)−１Ｈ−ピラノ[３,４−ｃ]ピリジニル、８−(３,４−ジヒドロ)−２Ｈ−ピラノ[２,３−ｃ]ピリジニル、７−(３,４−ジヒドロ)−２Ｈ−ピラノ[２,３−ｂ]ピリジニル、２−(５，６−ジヒドロ)−１Ｈ−ピラノ[３,４−ｂ]ピリジニル、２−(５,６−ジヒドロ)−２Ｈ−ピラノ[４,３−ｂ]ピリジニルおよび６−(３,４−ジヒドロ)−２Ｈ−ピラノ[３,２−ｂ]ピリジニルよりなる群から選択される５−または６−員の飽和または不飽和環、あるいは１、２もしくは３個のＣ1−Ｃ6アルキル、Ｃ1−Ｃ6アルコキシ、−ＯＨ、−ＣＨ2ＯＨ、−(ＣＨ2)n−Ｎ(Ｒ31)(Ｒ32)、−Ｃ3−Ｃ8シクロアルキル、−ＣＦ3、−ハロ、−ＣＯ2(Ｒ31)、−ＣＯＮ(Ｒ31)(Ｒ32)、−ＣＯ(Ｒ31)、−(ＣＨ2)nＮ(Ｒ31)(ＣＯ(Ｒ33))、−(ＣＨ2)nＮ(Ｒ31)(ＳＯ2(Ｒ33))、−ＣＮ、−ＣＨ2ＣＦ3または−ＣＨ(ＣＦ3)2またはフェニルで置換されたかかる５−または６−員の飽和または不飽和環であり、該飽和環は所望により１、２もしくは３個の−Ｃ1−Ｃ6アルキル、−Ｃ1−Ｃ6アルコキシ、−ＯＨ、−ＣＨ2ＯＨもしくは−(ＣＨ2)n−Ｎ(Ｒ31)(Ｒ32)または１個のオキソ(＝Ｏ)で置換されていてもよいことを特徴とする請求項１８記載の医薬組成物。
【請求項２０】  （１）感染した個人が、無症候性疾病であるがＨＩＶ抗原につき陽性と試験されたか、（２）感染した個人が、症候性疾病であるが“成熟しきった(full brown)ＡＩＤＳ”は有していないか、（３）ヒト免疫不全ウイルス（ＨＩＶ）に感染した個人が“成熟しきったＡＩＤＳ”を有することを特徴とする、請求項１１記載の医薬組成物。
【請求項２１】  投与が経口であって、有効量が０.１０ｍｇ／ｋｇ／日ないし５００ｍｇ／ｋｇ／日であることを特徴とする、請求項１１記載の医薬組成物。
【請求項２２】  化合物が、(Ｅ)−Ｎ,Ｎ−ジエチル−４−[(４−アミノ−６−メチルチオ−２−ピリミジニル)チオ]−２−ブテンアミド（化合物番号１９４）
（Ｅ）−１−[４−[(４−アミノ−６−メチルチオ−２−ピリミジニル)チオ]−１−オキソ−2−ブテニル]ピロリジン（化合物番号１９９）
（Ｅ）−Ｎ−エチル−Ｎ−メチル−４−[(４−アミノ−６−メチルチオ−２−ピリミジニル)チオ]−２−ブテンアミド（化合物番号２０３）
（Ｅ）−Ｎ,Ｎ−ジエチル−４−[(４−アミノ−６−メチルチオ−２−ピリミジニル)チオ]−２−ペンテンアミド（化合物番号２０７）
４−アミノ−６−メチルチオ−２−(１−(３−イソキノリル)エチル)チオ−ピリミジン（化合物番号２３０）
４−アミノ−５−ブロモ−６−メチルチオ−２−(１−(３−イソキノリル)エチル)チオ−ピリミジン（化合物番号２３１）
４−アミノ−６−メチルチオ−２−(１−(３−(５,６,７,８−テトラヒドロイソキノリル))エチル)チオ−ピリミジン（化合物番号２３３）
４−アミノ−６−トリフルオロメチル−２−(１−(３−(５,６,７,８−テトラヒドロ−イソキノリル))エチル)チオ−ピリミジン（化合物番号２３４）
４−アミノ−６−メチルチオ−２−(１−(７−クロロフロ[２,３ｃ]ピリジン−５−イル)エチル)チオ−ピリミジン（化合物番号２３７）
４−アミノ−６−メチルチオ−２−(１−(フロ[２,３−ｃ]ピリジン−５−イル)エチル)チオ−ピリミジン(化合物番号２３８)
４−アミノ−６−トリフルオロメチル−２−(１−(フロ[２,３−ｃ]ピリジン−５−イル)エチル)チオ−ピリミジン（化合物番号２３９）
４−アミノ−６−メチルチオ−２−(１−(７−クロロ−２−メチルフロ[２,３ｃ]ピリジン−５−イル)エチル)チオ−ピリミジン（化合物番号２４０）
４−アミノ−６−トリフルオロメチル−２−(１−(７−クロロ−２−メチルフロ[２,３ｃ]ピリジン−５−イル)エチル)チオ−ピリミジン（化合物番号２４１）
４−アミノ−６−メチルチオ−２−(１−(２−メチルフロ[２,３ｃ]ピリジン−５−イル)エチル)チオ−ピリミジン(化合物番号２４２)
４−アミノ−６−トリフルオロメチル−２−(１−(２−メチルフロ[２,３ｃ]ピリジン−５−イル)エチル)チオ−ピリミジン(化合物番号２４３)
４−アミノ−６−メチルチオ−２−(１−(３−メチルフロ[２,３ｃ]ピリジン−５−イル)エチル)チオ−ピリミジン(化合物番号２４６)
４−アミノ−６−メチルチオ−２−(１−(２,３−ジヒドロフロ[２,３ｃ]ピリジン−５−イル)エチル)チオ−ピリミジン(化合物番号２４７)
４−アミノ−６−メチルチオ−２−(１−(３,３−ジメチル−２,３−ジヒドロフロ[２,３ｃ]ピリジン−５−イル)エチル)チオ−ピリミジン（化合物番号２４８）
４−アミノ−６−メチルチオ−２−(１−(３−エチルフロ[２,３ｃ]ピリジン−５−イル)エチル)チオ−ピリミジン（化合物番号２４９）
４−アミノ−６−メチルチオ−２−(１−(７−クロロ−３,３−ジメチル−２,３−ジヒドロフロ[２,３ｃ]ピリジン−５−イル)エチル)チオ−ピリミジン（化合物番号２５０）
４−アミノ−６−メチルチオ−２−(１−(７−クロロ−３−エチルフロ[２,３ｃ]ピリジン−５−イル)エチル)チオ−ピリミジン（化合物番号２５１）
４−アミノ−６−メチルチオ−２−(１−(３−(１−メチルエチル)フロ[２,３ｃ]−ピリジン−５−イル)エチル)チオ−ピリミジン（化合物番号２５２）
４−アミノ−６−クロロ−２−(１−(４−(１−メチルプロピル)−２−ピリジル)−エチル)チオ−ピリミジン（化合物番号２５６）
４−アミノ−６−トリフルオロメチル−２−(１−(４−(１−ジメチルエチル)−２−ピリジル)エチル)チオ−ピリミジン（化合物番号２６９）
４−アミノ−６−トリフルオロメチル−２−(２−ナフチルメチル)チオ−ピリミジン（化合物番号２７０）
４−アミノ−６−トリフルオロメチル−２−((４−(１−メチルエチル)−２−ピリジル)メチル)チオ−ピリミジン（化合物番号２７１）
４−アミノ−６−トリフルオロメチル−２−(１−(４−(１−メチルエチル)−２−ピリジル)エチル)チオ−ピリミジン（化合物番号２７２）
４−アミノ−６−トリフルオロメチル−２−((４−(１,１−ジメチルエチル)−２−ピリジル)メチル)チオ−ピリミジン（化合物番号２７３）
６−アミノ−２−(２−ナフチルメチル)チオ−４−ピリミジンカルボニトリル（化合物番号２７７）
４−アミノ−６−メチルチオ−２−(１−(３−クロロフロ[２,３ｃ]ピリジン−５−イル)エチル)チオ−ピリミジン（化合物番号２８２）
４−アミノ−６−メチルチオ−２−(１−(３,７−ジクロロフロ[２,３ｃ]ピリジン−５−イル)エチル)チオ−ピリミジン（化合物番号２８３）
４−アミノ−６−メチルチオ−２−(１−(３−ブロモフロ[２,３ｃ]ピリジン−５−イル)エチル)チオ−ピリミジン（化合物番号２８４）
４−アミノ−６−メチルチオ−２−(１−(３−ブロモ−７−クロロフロ[２,３ｃ]ピリジン−５−イル)エチル)チオ−ピリミジン（化合物番号２８５）
４−アミノ−６−メチルチオ−２−(１−(７−クロロ−３−メチルフロ[２,３ｃ]ピリジン−５−イル)エチル)チオ−ピリミジン（化合物番号２８６）
４−アミノ−６−トリフルオロメチル−２−(１−(７−クロロ−３,３−ジメチル−２,３−ジヒドロフロ[２,３ｃ]ピリジン−５−イル)エチル)チオ−ピリミジン（化合物番号２８７）
(Ｒ)−(＋)−４−アミノ−６−メチルチオ−２−(１−(３−メチルフロ[２,３ｃ]ピリジン−５−イル)エチル)チオ−ピリミジン（化合物番号２８９）
(Ｓ)−(−)−４−アミノ−６−メチルチオ−２−(１−(３−メチルフロ[２,３ｃ]ピリジン−５−イル)エチル)チオ−ピリミジン（化合物番号２９０）
(Ｓ)−(−)−４−アミノ−６−トリフルオロメチル−２−(１−(３−メチルフロ[２,３ｃ]ピリジン−５−イル)エチルチオ）−ピリミジン（化合物番号２９７）
(Ｓ)−(−)−４−アミノ−６−メチルチオ−２−(１−(フロ[２,３ｃ]ピリジン−５−イル)エチルチオ)−ピリミジン(化合物番号１)、ならびにそれらの医薬上許容される塩、水和物および溶媒和物よりなる群から選択されることを特徴とする請求項１１記載の医薬組成物。
【請求項２３】  化合物が、（Ｓ）−(−)−４−アミノ−６−メチルチオ−２−(１−（３−メチルフロ[２,３ｃ]ピリジン−５−イル）エチル）チオ−ピリミジン；
（Ｓ）−(−)−４−アミノ−６−メチルチオ−２−(１−(３−メチルフロ[２,３ｃ]ピリジン−５−イル)エチルチオ)−ピリミジンエシラート塩；
（Ｓ）−(−)−４−アミノ−２−(３−メチル−フラノ[２,３ｃ]ピリジン−５−イル)エチルチオ−６−トリフルオロメチル−ピリミジンメシラート塩；
（Ｓ）−(−)−４−アミノ−６−メチルチオ−２−(１−(フロ[２,３ｃ]ピリジン−５−イル)エチルチオ)−ピリミジン、および
（Ｓ）−(−)−４−アミノ−６−メチルチオ−２−(１−(フロ[２,３ｃ]ピリジン−５−イル)エチルチオ)−ピリミジンメシラート塩よりなる群から選択されることを特徴とする請求項２１記載の医薬組成物。
【請求項２４】  （Ｓ）−(−)４−アミノ−６−メチルチオ−２−(１−(３−メチルフロ[２,３ｃ]ピリジン−５−イル)エチル)チオ−ピリミジン；
（Ｓ）−(−)−４−アミノ−６−メチルチオ−２−(１−(３−メチルフロ[２,３ｃ]ピリジン−５−イル)エチルチオ)−ピリミジンエシラート塩；
（Ｓ）−(−)−４−アミノ−６−メチルチオ−２−(１−(フロ[２,３ｃ]ピリジン−５−イル)エチルチオ)−ピリミジン；および
（Ｓ）−(−)−４−アミノ−６−メチルチオ−２−(１−(フロ[２,３ｃ]ピリジン−５−イル)エチルチオ)−ピリミジンメシラート塩よりなる群から選択されることを特徴とする請求項１記載の化合物。